(57)【特許請求の範囲】
【請求項１】
花き類の茎が挿通される挿通口が形成された蓋部と、その蓋部をほぼ水平状態で支持する支持脚部とを含む鮮度保持容器の、前記蓋部の下面に固定されて水を収容し、前記蓋部の挿通口から差し込まれる花き類の茎の端部を水中に浸漬した状態で受ける水収容袋であって、
筒状の非透水性シートの相対向する筒面が相互に近づくようにその筒面を折込み形成された谷折り部と、その谷折りされた形態で筒状の非透水性シートの両端部を綴じるように形成された袋綴じ部とを備え、
前記谷折り部と袋綴じ部とが形成されることにより、谷折り部を間にしてシート天部とシート底部とが積層状態で形成され、そのシート天部に注水口が形成され、花き類の鮮度を保持するための容器に対し、花き類に水を補給するために前記注水口が前記容器の挿通口と連通するように固定され、
前記注水口から水が収容されたときに前記谷折り部が開き収容空間が形成されるとともに、前記シート底部が水収容底部となり、前記袋綴じ部である接着部分が前記収容空間の高さ方向の中間に位置し、水収容底部に位置しない形態を呈することを特徴とする鮮度保持容器用水収容袋。
【請求項２】
筒状の非透水性シートの相対向する筒面が相互に近づくようにその筒面を折込み形成された谷折り部と、その谷折りされた形態で筒状の非透水性シートの両端部を綴じるように形成された袋綴じ部とを有し、前記谷折り部と袋綴じ部とが形成されることにより、谷折り部を間にしてシート天部とシート底部とが積層状態で形成され、そのシート天部に注水口が形成される袋と、
花き類の茎を収容する収容口を兼ね、前記袋の注水口と連通する注水口部分を有する蓋部と、その蓋部をほぼ水平状態にしてその蓋部下面に固体された前記袋が垂下した形態で当該容器を立てた状態で据え置き可能とする一対の支持脚部とを含み段ボール紙等の厚紙で形成された容器本体と、
厚紙で形成され、一対の前記支持脚部を連結する着脱自在の第一連結部材と、
厚紙で形成され、その第一連結部材と相対向して前記袋を挟み込むように、一対の前記支持脚部を連結する着脱自在の第二連結部材と、を備え、
前記袋に水が収容されたときに前記袋の谷折り部が開き収容空間が形成されるとともに、前記シート底部が水収容底部となり、前記袋綴じ部が前記収容空間の高さ方向の中間に位置し、水収容底部に位置しない形態を呈し、かつ当該容器が横倒し状態のときに、前記第一連結部材又は第二連結部材により注水口側への水の移動を抑制する状態となることを特徴とする鮮度保持容器。
【請求項３】
前記第一連結部材及び第二連結部材は、それぞれ長手の帯板状をなし、その長辺に、短辺に平行で且つ短辺から所定間隔をおいて同じ方向に開口する一対の切欠部がそれぞれ形成され、
前記支持脚部は、厚紙を折り目線に沿って折ることにより前記蓋部の両側に一対をなすように形成され、
一対の前記支持脚部には、前記折り目線から離間した位置にその折り目線と平行に、前記第一連結部材及び第二連結部材に形成された前記切欠部に係止する支持脚部側切欠部がそれぞれ形成されたことを特徴とする請求項２に記載の鮮度保持容器。
【請求項４】
前記第一連結部材と第二連結部材とは同じ形状としたことを特徴とする請求項２又は３に記載の鮮度保持容器。
【請求項５】
前記第二連結部材は、厚紙を二つ折りし断面がほぼコの字状をなすように形成され、そのコの字部の開口側が前記第一連結部材と相対向するように配置され、
前記第一連結部材には、前記第二連結部材のコの字部内に嵌合する突出部が形成され、
前記袋を挟み込んだ形態で、前記第一連結部材の突出部が前記第二連結部材のコの字部内に嵌合することを特徴とする請求項２に記載の鮮度保持容器。
【請求項６】
前記第一連結部材は、全体ほぼ矩形状をなし、その長辺に、短辺に平行で且つ短辺から所定間隔をおいて同じ方向に開口する一対の第一切欠部が形成され、
前記第二連結部材は、厚紙を二つ折りされた形態で平面視ほぼ矩形状をなし、その長辺に、短辺に平行で且つ短辺から所定間隔をおいて同じ方向に開口する一対の第二切欠部が二つ折り部分にそれぞれ形成され、
前記支持脚部は、厚紙を折り目線に沿って折ることにより前記蓋部の両側に一対をなすように形成され、
一対の前記支持脚部には、前記折り目線から離間した位置にその折り目線とほぼ平行に、前記第一連結部材に形成された第一切欠部及び第二連結部材に形成された第二切欠部に係止する支持脚部側切欠部がそれぞれ形成されたことを特徴とする請求項５に記載の鮮度保持容器。
【請求項７】
前記第二連結部材の第二切欠部に係止する第二連結部材用支持脚部側切欠部は、奥部に対し口元部が狭い形状に形成され、
前記第二連結部材は、二つ折りに形成された厚紙の復元力で前記第二連結部材用支持脚部側切欠部に係止することを特徴とする請求項６に記載の鮮度保持容器。
【請求項８】
前記袋のシート天部には、ミシン目線が形成され、そのミシン目線に沿って開口可能とされ、開口されることにより前記注水口が形成されることを特徴とする請求項２ないし７のいずれか１項に記載の鮮度保持容器。
【請求項９】
前記袋は、前記谷折り部を間にしてシート天部とシート底部とが積層状態で形成された形態で平面視において矩形状をなし、前記シート天部の一辺から中央寄りに離間した位置にその辺と平行に第一ミシン目線が形成されるとともに、その第一ミシン目線の両端に、第一ミシン目線と直交する第二ミシン目線が形成されたことを特徴とする請求項２ないし８のいずれか１項に記載の鮮度保持容器。
【請求項１０】
前記袋の第一ミシン目線に近接して所定間隔をおいてその第一ミシン目線とほぼ同じ長さでかつ平行に第三ミシン目線が少なくとも１本以上形成されたことを特徴とする請求項２ないし９のいずれか１項に記載の鮮度保持容器。
【請求項１１】
前記蓋部の下面における前記蓋部側注水口の開口周縁の外側に、前記袋のシート天部が、周状の接着面を有し固定され、前記蓋部側注水口部分から力が加えられることにより前記袋部側注水口部分を形成するミシン目線が切離されることを特徴とする請求項２ないし１０のいずれか１項に記載の鮮度保持容器。
【発明の詳細な説明】
【技術分野】
【０００１】
本発明は、花き類の鮮度を保持する鮮度保持容器用水収容袋及びその袋を備えた鮮度保持容器に関する。
【背景技術】
【０００２】
従来、切り花、鉢植えの花き類の鮮度を保持するための容器として、段ボール、プラスチック及びそれらを組合せた種々の容器が使用されている。鮮度を保持して生産地から市場等へ輸送するには、花き類を立てた状態で輸送するのが最適である。例えば特許文献１に示すように、発泡プラスチックを用いて構成した輸送に適した容器の提案がある。
【０００３】
【特許文献１】実開平７―６１７３号公報
【発明の開示】
【発明が解決しようとする課題】
【０００４】
しかしながら、特許文献１では発泡プラスチックを用いてコスト的にも高くなるとともに、容器を受け取った側で再利用する場合を除いて、使用済みの容器を廃棄処分するときに、処理するのに適したものではなかった。また、この種の容器は使用する前の状態では、保管、輸送が行い易いように嵩張らない構造が望まれるが、特許文献１の容器では嵩張ってスペースをとってしまう問題があった。さらに、水を入れたまま輸送中に容器が横倒しになることもあり、水漏れが発生するおそれもある。
【０００５】
本発明は上記した背景をもとになされたもので、リサイクルが容易にでき、嵩張らず保管、輸送が効率化できるとともに、輸送中も安定して花き類を保持し、横倒し時も水が流出しにくい鮮度保持容器用水収容袋及びその袋を備えた鮮度保持容器を提供することを課題とする。
【課題を解決するための手段及び発明の効果】
【０００６】
上記課題を解決するために本発明鮮度保持容器用水収容袋は、花き類の茎が挿通される挿通口が形成された蓋部と、その蓋部をほぼ水平状態で支持する支持脚部とを含む鮮度保持容器の、蓋部の下面に固定されて水を収容し、蓋部の挿通口から差し込まれる花き類の茎の端部を水中に浸漬した状態で受ける水収容袋であって、
筒状の非透水性シートの相対向する筒面が相互に近づくようにその筒面を折込み形成された谷折り部と、その谷折りされた形態で筒状の非透水性シートの両端部を綴じるように形成された袋綴じ部とを備え、
谷折り部と袋綴じ部とが形成されることにより、谷折り部を間にしてシート天部とシート底部とが積層状態で形成され、そのシート天部に注水口が形成され、花き類の鮮度を保持するための容器に対し、花き類に水を補給するために注水口が容器の挿通口と連通するように固定され、
注水口から水が収容されたときに谷折り部が開き収容空間が形成されるとともに、シート底部が水収容底部となり、袋綴じ部である接着部分が収容空間の高さ方向の中間に位置し、水収容底部に位置しない形態を呈することを特徴とする。
【０００７】
上記本発明の鮮度保持容器用水収容袋は、谷折りした形状により、折り畳まれた状態ではコンパクトでスペースをとらず、かつ開いたときに十分な水収容空間を確保できる。また、水収容底部に袋綴じ部分（例えば溶着などによる袋綴じする部分）がないため底部からの水漏れのおそれが少ない。袋を構成する非透水性シートとして、例えばポリエチレン製シートなどの樹脂材料を採用でき、使用済みの袋を再生材料として利用することが可能である。袋内に水を収容して花き類の鮮度を保持する際に好適であるとともに、鮮度を保持しつつ輸送する容器と組合せて使用されると好適な鮮度保持容器用水収容袋を提供可能である。
【０００８】
その際、シート天部に、ミシン目線を形成し、そのミシン目線に沿って開口可能とし、開口されることにより注水口を形成するようにできる。このように、ミシン目線が形成されており、外から力が加えられたときに開口するもので、それまでは閉じており、当初から切り目により開口している場合に比べて袋内に空気が入ることなく、嵩張ることもない。袋の加工時に工程ライン上で送られる（搬送される）際に袋中に空気が入ると加工がし難いが、袋内に空気が入ることなく加工がし易いとともに、袋が嵩張らず折り畳まれ輸送、保管が効率化できる。
【０００９】
また、その際、当該袋は谷折り部を間にしてシート天部とシート底部とが積層状態で形成された形態で平面視において矩形状とし、シート天部の一辺から中央寄りに離間した位置にその辺と平行に第一ミシン目線を形成するとともに、その第一ミシン目線の両端に、第一ミシン目線と直交する第二ミシン目線を形成することができる。このように、第一ミシン目線及び第二ミシン目線が形成され、外から力が加えられたときに簡単に開口し、水の注水に十分な注水口を形成できる。
【００１０】
さらに、第一ミシン目線に近接して所定間隔をおいてその第一ミシン目線とほぼ同じ長さでかつ平行に第三ミシン目線を少なくとも１本以上形成することができる。このように、第三ミシン目線が形成されることにより、外から力が加えられたときに、第一ミシン目線と第三ミシン目線の何れかが必ず開口し注水口を形成できる。例えば厚紙などで構成された容器の蓋部に、蓋部側の注水口と連通するように当該袋の注水口部分が取付けられた場合において、袋の取付け部分の接着位置などにより、力が加わる位置が多少ずれた場合に、第一ミシン目線のみであると伸びるだけで切り離されないことが起こり得るが、所定間隔をおいて近接して第三ミシン目線が設けられており、これらミシン目線の何れかが確実に切り離される。
【００１１】
ところで、本発明の鮮度保持容器用水収容袋を用いて鮮度保持容器を次のように構成できる。筒状の非透水性シートの相対向する筒面が相互に近づくようにその筒面を折込み形成された谷折り部と、その谷折りされた形態で筒状の非透水性シートの両端部を綴じるように形成された袋綴じ部とを有し、谷折り部と袋綴じ部とが形成されることにより、谷折り部を間にしてシート天部とシート底部とが積層状態で形成され、そのシート天部に注水口が形成される袋と、
花き類の茎を収容する収容口を兼ね、袋の注水口と連通する注水口部分を有する蓋部と、その蓋部をほぼ水平状態にしてその蓋部下面に固体された袋が垂下した形態で当該容器を立てた状態で据え置き可能とする一対の支持脚部とを含み段ボール紙等の厚紙で形成された容器本体と、
厚紙で形成され、一対の支持脚部を連結する着脱自在の第一連結部材と、
厚紙で形成され、その第一連結部材と相対向して前記袋を挟み込むように、一対の支持脚部を連結する着脱自在の第二連結部材と、を備え、
袋に水が収容されたときに袋の谷折り部が開き収容空間が形成されるとともに、シート底部が水収容底部となり、袋綴じ部が収容空間の高さ方向の中間に位置し、水収容底部に位置しない形態を呈し、かつ当該容器が横倒し状態のときに、第一連結部材又は第二連結部材により注水口側への水の移動を抑制する状態となることを特徴とするようにできる。
【００１２】
上記本発明の鮮度保持容器は、水が収容される袋を一対の支持脚部で安定して支持でき、輸送中の振動などに対しても安定して支持できる。また、このように第一連結部材及び第二連結部材を設けることにより、支持脚部を補強するとともに、どちら方向に横倒し状態になったとしてもこれら連結部材が防水壁となり、水の流出を確実に防止することができる。
【００１３】
その際、第一連結部材及び第二連結部材を、それぞれ長手の帯板状とし、その長辺に、短辺に平行で且つ短辺から所定間隔をおいて同じ方向に開口する一対の切欠部をそれぞれ形成し、支持脚部を、厚紙を折り目線に沿って折ることにより蓋部の両側に一対をなすように形成し、一対の支持脚部には、折り目線から離間した位置にその折り目線と平行に、第一連結部材及び第二連結部材に形成された切欠部に係止する支持脚部側切欠部をそれぞれ形成することが望ましい。このように第一連結部材及び第二連結部材と支持脚部とが形成されることにより、支持脚部の補強構造が防水壁構造を兼ねることができ、水を収容した袋を輸送中も安定した状態で保持し、且つ水漏れのおそれの少ない鮮度保持容器を提供できる。
【００１４】
さらに、その際、第一連結部材と第二連結部材とは同じ形状とすることができる。このように、第一連結部材と第二連結部材とを同じ形状とすれば、部品の共通化によりコスト低減が図れる。
【００１５】
また、第二連結部材を、厚紙を二つ折りし断面がほぼコの字状をなすように形成し、そのコの字部の開口側が第一連結部材と相対向するように配置し、第一連結部材には、第二連結部材のコの字部内に嵌合する突出部を形成し、袋を挟み込んだ形態で、第一連結部材の突出部が第二連結部材のコの字部内に嵌合するようにできる。このように、第二連結部材と第一連結部材が形成されることにより、コの字部で袋を挟み、袋の開口部分を狭め、水が中央寄りに集められ、少ない水で有効な水深を保つことができる。また、突出部が第二連結部材のコの字部内に嵌合するため、第二連結部材と第一連結部材との結合がより強くなり、支持脚部の補強効果も高められる。
【００１６】
また、第一連結部材を、全体ほぼ矩形状とし、その長辺に、短辺に平行で且つ短辺から所定間隔をおいて同じ方向に開口する一対の第一切欠部を形成し、第二連結部材を、厚紙を二つ折りされた形態で平面視ほぼ矩形状とし、その長辺に、短辺に平行で且つ短辺から所定間隔をおいて同じ方向に開口する一対の第二切欠部を二つ折り部分にそれぞれ形成し、支持脚部を、厚紙を折り目線に沿って折ることにより蓋部の両側に一対をなすように形成し、一対の支持脚部には、折り目線から離間した位置にその折り目線とほぼ平行に、第一連結部材に形成された第一切欠部及び第二連結部材に形成された第二切欠部に係止する支持脚部側切欠部をそれぞれ形成することが望ましい。このように第一連結部材及び第二連結部材と支持脚部が形成されることにより、支持脚部の補強構造が防水壁構造を兼ねることができ、水を収容した袋を輸送中も安定した状態でかつ水漏れを防止できる鮮度保持容器を提供できる。
【００１７】
さらに、その際、第二連結部材の第二切欠部に係止する第二連結部材用支持脚部側切欠部を、奥部に対し口元部が狭い形状に形成するのが望ましい。第二連結部材を、二つ折りに形成された厚紙の復元力で第二連結部材用支持脚部側切欠部に係止するようにできる。厚紙が元に戻ろうとする復元力により、第二連結部材用支持脚部側切欠部に圧接し、奥部に対し口元部が狭くなった形状と相俟って第二連結部材をその位置に係止・固定するようにできる。これにより、第二連結部材の差込み範囲を調節（変位位置を調節）することが可能となる。差込み位置を最適に調節することにより、最適位置に調節された第二連結部材と第一連結部材との間に花き類の茎を輸送中などにも確実に保持するようにできる。
【００１８】
また、蓋部の下面における蓋部側注水口の開口周縁の外側に、袋のシート天部を、周状の接着面を有し固定し、蓋部側注水口部分から力が加えられることにより袋部側注水口部分に形成されたミシン目線が切離されるようにすることができる。このように袋が蓋部に固定されることにより、袋のミシン目線が簡単に切り離され作業性もよい。また、袋の取付け部分の接着位置などにより、力が加わる位置が多少ずれた場合に、袋が第一ミシン目線のみであると伸びるだけで切り離されないことが起こり得るが、所定間隔をおいて近接して第一ミシン目線、第三ミシン目線を設けることにより、これらミシン目線のいずれかが確実に切り離される。
【発明を実施するための最良の形態】
【００１９】
（実施例１）
以下、本発明の実施の形態につき、図面に示す実施例を参照して説明する。図１は本発明の鮮度保持容器用水収容袋の平面図、図２は図１のＡ−Ａ断面図である。鮮度保持容器用水収容袋１（以下、袋ともいう）は、柔軟性を有しかつ水を収容可能な非透水性シート（例えばポリエチレン製シート）で形成されている。鮮度保持用袋１は、筒状の非透水性シートの筒面を、相対向する筒面が相互に近づくように折込まれ形成された谷折り部２と、谷折りされた形態で筒状の非透水性シートの両端部を綴じるように形成された袋綴じ部３,３とを有する。谷折りされ袋綴じされることにより、谷折り部２を間にしてシート天部４とシート底部５とが積層状態で形成される。
【００２０】
鮮度保持用袋１は、谷折り部２を間にしてシート天部４とシート底部５とが積層状態で形成された形態で平面視において矩形状（本実施例では長方形状）をなしている。シート天部４には、長辺６,６から中央寄りに離間した位置に、長辺６,６と平行なミシン目線７（第一ミシン目線）が設けられている。このミシン線７の両端には、ミシン目線７と直交するミシン目線８,８（第二ミシン目線）が設けられている。これらミシン目線７及び８,８部分を押し込むことにより、ミシン目線７及び８,８が切り離され開口し注水口９が形成される。
【００２１】
袋１のミシン目線７は、ミシン目線８,８の中央を結ぶ位置に形成され、かつミシン目線７の長さがミシン目線８,８の長さより大に形成され、開口したときに横長の長方形状の注水口９が形成される。
【００２２】
ミシン目線８,８の中央を結ぶ位置に形成されたミシン目線７に近接して所定間隔をおいてミシン目線７とほぼ同じ長さでかつ平行にミシン目線１０（第三ミシン目線）が形成されている。外から力が加えられたときに、ミシン目線７とミシン目線１０との何れかが必ず切り離され開口するようにしている。ミシン目線１０は、本実施例では１本としているが、複数本形成してもよい。
【００２３】
次に、図３は袋の製造方法を示す説明図である。図３に従って袋１の製造方法について説明する。
（１）断面が筒状（円筒状）のポリエチレン製シートの長尺のものを使用する。吹流し状態のシート１２の筒面に、両側から突き棒１３（又は突き板）を当てて、相対向する筒面が相互に近づくように折り込み、谷折り部２,２を形成する。谷折り部２,２が形成されたシートは巻き取り装置に一旦巻き取られる。
（２）巻き取り装置から予め谷折り部２,２が形成された状態のシートを引出し、シート天部の下面に所定大きさのミシン目形成用の下敷きとなる敷き板を配置する。この敷き板を下敷きにしてシート天部に刃（カッター）を当て、シート天部のみにミシン目線７,８,８及び１０を形成する。
【００２４】
（３）続いてシートを製造工程の下流方向に搬送し、シートの端部を所定幅の溶着しろをもって溶着し、その後溶着部の中心線にそって切断することにより、次の袋の端部が溶着された状態（袋綴じ部３が形成された状態）となる。
（４）以降、ミシン目形成、搬送、溶着、切断の工程が繰返されることにより袋１が形成される。このように形成された袋１は、シート天部４にミシン目線７,８,８及び１０が形成されるとともに、水を収容する底部に溶着部分を有しない構造にできる。
【００２５】
図４は袋１に水を収容した状態を示す斜視図である。このように形成された袋１は、図４に示すように、袋１の注水口９から水を入れると谷折り部２,２が開き、水収容空間を形成するとともに、シート底部５が水収容底部となる。開いた状態において、袋綴じ部３,３が収容空間の高さ方向の中間に位置し、水収容底部に位置しない形態となっている。
【００２６】
このように、谷折り部２,２を形成した形状により、折り畳まれた状態ではコンパクトでスペースをとらず、かつ開いたときに十分な水収容空間を確保できる。また、水収容底部に袋綴じ部３,３が位置しないため底部からの水漏れのおそれが少ない。袋１を構成する非透水性シートとして、例えばポリエチレン製シートなどの樹脂材料が採用でき、使用済みの袋を再生して利用することが可能である。
【００２７】
また、シート天部４に、ミシン目線７,８,８及び１０を形成し、それらミシン目線に沿って開口可能とし、開口されることにより注水口９を形成するようにしており、外から力が加えられたときに開口するもので、それまでは閉じており、袋内に空気が入ることなく、嵩張らないようにできる。袋１の加工時に工程ライン上で搬送される際に袋中に空気が入ると加工がし難いが、袋内に空気が入ることなく加工がし易いとともに、袋が嵩張らず折り畳まれ輸送、保管が効率化できる。
【００２８】
（変形例１）
図５は鮮度保持用袋の変形例を示す。実施例１（図２）に次のような変形を加えている。鮮度保持用袋２０では、谷折り部が複数（この例では２）形成されている。すなわち相対向して相互に近づくように折り込まれる谷折り部２２,２２及び２３,２３が２段となるように形成され、２段に谷折りされた形態で筒状の非透水性シートの両端を袋綴じして、谷折り部２２,２２及び２３,２３を間にしてシート天部４とシート底部５とが積層状態で形成された袋２０を構成している。このように形成してもよい。水を収容したときに、谷折り部２２,２２及び２３,２３が開き十分な水収容空間を確保できる。なお、図５において図２と共通する機能を有する部分には同一符号を付してある。
【００２９】
（実施例２）
次に、上記本発明（実施例１）の鮮度保持容器用水収容袋１を用いた鮮度保持容器の一実施例について説明する。図６は鮮度保持容器用水収容袋１を用いた鮮度保持容器３０の斜視図、図７は図６の鮮度保持容器３０の展開図である。鮮度保持容器３０は、段ボール（厚紙）で形成された容器本体３１と、その容器本体３１に固定された袋１と、袋１を挟むように相対向して容器本体３１に着脱自在に取付けられる一対のフレーム５０,５０（第一連結部材、第二連結部材）を備えている。
【００３０】
容器本体３１は、切り花などの花きを収容する収容口を兼ねる注水口３２を有する蓋部３３と、その蓋部３３の両端に形成された一対の支持脚部３４,３４とを備えている。
【００３１】
図７に示すように、容器本体３１は、段ボールに設けられた折り目線３５,３５に沿って折り曲げることにより、蓋部３３の両側に一対の支持脚部３４,３４が形成される。蓋部３３には、対向する長辺３６,３６から中央寄りに離間した位置に、長辺３６,３６と平行なミシン目線３７が設けられている。このミシン目線３７の両端には、それぞれ山形状（又は台形状）のミシン目線３８,３８が設けられている。ミシン目線３８,３８は、それぞれその頂部領域においてミシン目線３７とつながっている。
【００３２】
これらミシン目線３７及び３８,３８部分を押し込むことにより、ミシン目線３７及び３８,３８が切り離され開口し注水口３２が形成される。ミシン目線３７及び３８,３８が切り離されることにより、蓋部側注水口３２部分に長舌片３９,３９と短舌片４０,４０とが形成される。なお、ミシン目線３７及び３８,３８は、スリット（切り込み線）としてもよい。
【００３３】
図７に示すように、フレーム５０,５０は、段ボール（厚紙）で同じ形状に形成され、全体ほぼ矩形状（長手の帯板状）をなし長辺５１,５１の長さが蓋部３３の長辺３６の長さと同じに形成され、長辺５１の一方の辺に短辺５２,５２から離間した位置に短辺５２,５２に平行な一対の溝部５３,５３（切欠部）が形成されている。一対の溝部５３,５３が形成された辺の中央には切欠凹部５４が形成され、この切欠凹部５４の両側において溝部５３,５３とつながる部分に長辺５１よりも突出する突出部５５,５５が形成されている。
【００３４】
一方、容器本体３１には、折り目線３５,３５と直交する支持脚部３４,３４の辺３４ａ,３４ａに折り目線３５,３５から離間した位置に折り目線３５,３５と平行な溝部３４ｂ,３４ｂ及び３４ｃ,３４ｃ（支持脚部側切欠部）が形成されている。容器本体３１の溝部３４ｂ,３４ｂ及び３４ｃ,３４ｃは、組立時にフレーム５０,５０の溝部５３,５３と係合するように構成されている。なお、フレーム５０,５０が容器本体３１と係合し、相対向して支持脚部３４,３４を連結する際に、フレーム５０,５０の向かい合う突出部５５,５５が突き当たることなく重なるように（図１０参照）、容器本体３１の溝部３４ｂ,３４ｂと３４ｃ,３４ｃとは、支持脚部３４,３４の短辺３４ｄ,３４ｄ（組立状態で底辺となる辺）からの距離（高さ）に若干差を付けている。すなわち溝部３４ｂ,３４ｂは、溝部３４ｃ,３４ｃよりも支持脚部３４,３４の短辺３４ｄ,３４ｄからの距離が大としている。
【００３５】
そして、図８に示すように、蓋部３３の下面における蓋部側注水口３２の開口縁の外側に、袋１のシート天部４が、蓋部側注水口３２と袋部側注水口９とが連通した状態で、接着部材（例えば接着のり）により固定されている。すなわち蓋部３３と袋１とが周状に接着面４１を有し固定されている。
【００３６】
次に、鮮度保持容器３０の使用例について説明する。図９は鮮度保持容器３０を出荷箱６０（外箱）に配置した状態の側面断面図である。蓋部側注水口３２を開口し袋１が水を収容する状態にひろげられた状態を示している。出荷箱６０は、直方体を立てた形態をなし前面に開閉する蓋を有している。出荷箱６０の前面から鮮度保持容器３０が納められ、支持脚部３４,３４により出荷箱６０内に据え置かれた状態に設けられる。すなわち蓋部３３をほぼ水平状態にして出荷箱６０内に鮮度保持容器３０を据え置き、一対の支持脚部３４,３４の間に袋１が蓋部３３から垂下した状態に配置される。
【００３７】
蓋部側注水口３２部分を形成するミシン目線３７及び３８,３８部分を押し込むことにより、ミシン目線３７及び３８,３８が切り離され開口し注水口３２が形成される。このとき同時に袋部側注水口９を形成するミシン目線７或いは１０及び８,８が切り離され開口し注水口９が形成される。ミシン目線３７及び３８,３８が切り離されることにより、蓋部側注水口３２部分に長舌片３９,３９と短舌片４０,４０とが形成される。同時にミシン目線７或いは１０及び８,８が切り離されることにより、袋部側注水口９部分に舌片（図示しない）が形成される。
【００３８】
開口した注水口３２（９）から水を袋１内に注入すると、袋１の谷折り部２,２が開き収容空間が形成される。複数の切り花４３を注水口３２（９）から差込み、切り花４３の切茎端部を袋１内の水部分４４に挿入する。切り花４３の茎部分が蓋部３３の注水口３２部分の長舌片３９,３９と短舌片４０,４０とにより保持される。鮮度保持容器１により切り花４３を出荷箱６０内において立てた状態で保持できる。注入する水の量は出荷箱６０（鮮度保持容器３０）が倒れた場合にこぼれない程度が望ましい。
【００３９】
次に、図１０は図６のＢ−Ｂ断面図を示す。相対向して袋１を挟み込むようにフレーム５０,５０（フレームの切欠部５３,５３）が容器本体３１（容器本体の溝部３４ｂ,３４ｂ及び３４ｃ,３４ｃ）と係合し、支持脚部３４,３４を連結する際に、フレーム５０,５０の向かい合う突出部５５,５５が突き当たることなく重なるようになっている。
【００４０】
図１１は図１０のＣ−Ｃ断面図を示す。突出部５５,５５の重なる部分において、突出部５５,５５の間に袋１が挟み込まれた状態となっている。
【００４１】
図１２は輸送時等に出荷箱６０が横倒しになった場合の状態を示す。鮮度保持容器３０が横倒し状態になったときに、フレーム５０,５０（フレーム５０,５０の切欠凹部５４）が袋１の中央部（腹部）に当接して、フレーム５０,５０が壁となり蓋部３３の注水口３２方向への袋１の水の移動を阻止する。フレーム５０,５０が相対向して設けられており、鮮度保持容器３０がどちら側に横倒しになっても、フレーム５０,５０が防止壁となって水の流出を防止できる。
【００４２】
なお、蓋部３３の注水口３２を、蓋部３３の側辺から中央寄りに離間した位置に設けており、開口位置までの離間した部分が壁となり、袋１内の水が蓋部３３の開口部分から外へ移動するのを阻止する効果を奏し得るが、実施例２に示すように、蓋部３３の注水口３２の開口が蓋部３３の全体面積と比較し大きく形成された場合のように、蓋部３３の壁となる部分の幅が狭い場合（高さが低い場合）、蓋部３３の壁による水流出防止効果は限定的となる。本実施例では、フレーム５０,５０が防水壁となり、水の流出防止を確実にでき、且つどちら側に横倒しになっても防止壁となって水漏れを防ぐことができる。
【００４３】
また、フレーム５０,５０の突出部５５,５５の重なる部分において、突出部５５,５５の間に袋１が挟み込まれた状態としており、袋の開口部分を狭められ、水が中央寄りに集められ、少ない水で有効な水深を維持することができる。
【００４４】
このように、本発明の鮮度保持容器用水収容袋１は内部に水を収容して花き類の鮮度を保持する際に好適であるとともに、厚紙で形成された容器本体３１及びフレーム５０,５０と組み合わされ、鮮度保持容器３０として使用されると鮮度を保持しつつ輸送するのに好適である。また、袋１にはミシン目線７に加えて、ミシン目線１０が形成されており、外から力が加えられたときに、ミシン目線７とミシン目線１０の何れかが必ず開口し注水口９を形成できる。実施例２のように厚紙などで構成された容器本体３１の蓋部３３に、蓋部３３側の注水口３２と連通するように当該袋１の注水口９部分が取付けられた場合において、袋１の取付け部分の接着位置などにより、蓋部側注水口３２部分を形成するミシン目線３７及び３８,３８部分を押し込んで開口しようとしたときに、袋側のミシン目線に加わる力の位置が多少ずれた場合に、ミシン目線７のみであると伸びるだけで切り離されないことが起こり得るが、所定間隔をおいて近接してミシン目線１０が設けられており、接着位置の多少の誤差を許容し、これらミシン目線７,１０の何れかが確実に切り離され、注水口９が形成される。なお、ミシン目線７,１０は、切れ目の長いミシン目線とし、使用前においてつながっており、開口するときに切れ易いようにしてもよい。
【００４５】
（実施例３）
次に、上記本発明（実施例１）の鮮度保持容器用水収容袋１を用いた鮮度保持容器の他の実施例について説明する。図１３は鮮度保持容器用水収容袋１を用いた鮮度保持容器１３０の斜視図、図１４は図１３の鮮度保持容器１３０の展開図である。鮮度保持容器１３０は、段ボール（厚紙）で形成された容器本体１３１と、その容器本体１３１に固定された袋１と、袋１を挟むように相対向して容器本体１３１に着脱自在に取付けられる第一フレーム５０（第一連結部材）及び第二フレーム１５０（第二連結部材）とを備えている。
【００４６】
図１４に示すように、第一フレーム５０は、段ボール（厚紙）で形成され、全体ほぼ矩形状をなし長辺５１,５１の長さが蓋部３３の長辺３６の長さと同じに形成され、長辺５１の一方の辺に短辺５２,５２から離間した位置に短辺５２,５２に平行な一対の溝部５３,５３（第一切欠部）が形成されている。一対の溝部５３,５３が形成された辺の中央には切欠凹部５４が形成され、この切欠凹部５４の両側において溝部５３,５３とつながる部分に長辺５１よりも突出する突出部５５,５５が形成されている。
【００４７】
第二フレーム１５０は、段ボール（厚紙）を二つ折りし断面がほぼコの字状をなすように形成され、組立時にそのコの字部の開口１５７側が第一フレーム５０と相対向するように配置される。図１４に示すように、第二フレーム１５０は、段ボール（厚紙）で形成され、二つ折りした形態で平面視全体ほぼ矩形状をなし長辺１５１,１５１の長さが蓋部３３の長辺３６の長さと同じに形成され、長辺１５１の一方の辺に短辺１５２,１５２から離間した位置に短辺１５２,１５２に平行な一対の溝部１５３,１５３（第二切欠部）が形成されている。一対の溝部１５３,１５３が形成された辺の中央には切欠凹部１５４が形成され、この切欠凹部５４の両側において溝部１５３,１５３とつながる部分に長辺１５１よりも突出する突出部１５５,１５５が形成されている。
【００４８】
すなわち第二フレーム１５０は、図１４に示すように、展開状態においては所定幅を有する中央基部１５８を中心にして左右対称形状に形成され、溝部１５３,１５３及び突出部１５５,１５５が左右にそれぞれ形成されている。片側のみの形状をとらえれば、平面視において第一フレーム５０と同じ形状となっている。
【００４９】
一方、容器本体１３１には、折り目線３５,３５と直交する支持脚部３４,３４の一方の辺３４ａに折り目線３５,３５から離間した位置に折り目線３５,３５と平行な溝部３４ｂ,３４ｂ（支持脚部側切欠部）と、支持脚部３４,３４の他方の辺１３４ａ（その溝部３４ｂ,３４ｂが形成された辺と反対側の辺）に折り目線３５,３５から離間した位置に折り目線３５,３５とほぼ平行に溝部１３４ｃ,１３４ｃ（支持脚部側切欠部；第二連結部材用支持脚部側切欠部）が形成されている。容器本体１３１の溝部３４ｂ,３４ｂ及び１３４ｃ,１３４ｃは、組立時に第一フレーム５０の溝部５３,５３及び第二フレーム１５０の溝部１５３,１５３と係合するように構成されている。容器本体１３１の溝部１３４ｃ,１３４ｃは、第二フレーム１５０の二つ折り部分が嵌合するように対応した溝幅（実施例２の溝３４ｃの場合よりも溝幅が大）で且つ奥部１３４ｅに対し口元部１３４ｆが狭くなった形状に形成されている。
【００５０】
図１５は図１３のＤ−Ｄ断面図を示す。図１６は図１５のＥ−Ｅ断面図を示す。第一フレーム５０を、その切欠部５３,５３が容器本体１３１の溝部溝部３４ｂ,３４ｂに係合するように差込み支持脚部３４,３４を連結する。次に、第一フレーム５０に相対向して袋１を挟み込むようにして第二フレーム１５０を、その切欠部１５３,１５３が容器本体１３１の溝部１３４ｃ,１３４ｃに係合するように差込み支持脚部３４,３４を連結する。その際に、第一フレーム５０の向かい合う突出部５５,５５が、第二フレーム１５０の突出部１５５,１５５におけるコの字状の開口部１５９内に嵌合するようにしている（図１６（ｂ）参照）。第一フレーム５０の突出部５５と第二フレーム１５０の上下の突出部１５５,１５５との間に袋１が挟み込まれた状態となっている。
【００５１】
なお、第二フレーム１５０の差込み動作において、本実施例では差込み範囲を調節できるようにしている。図１７は第二フレーム１５０の変位位置を示す説明図である。図１７（ａ）に示すように、第二フレーム１５０の基部１５８が支持脚部３４の立ち上がった端面と同じ面位置にある状態と、図１７（ｂ）に示すように、第二フレーム１５０がさらに奥に差し込まれた状態（相対向する第一フレーム５０にさらに近づくように差し込まれた状態）との間で位置が変位可能となっている。すなわち図１４の展開図に戻り、容器本体１３１の溝部１３４ｃにおける辺１３４ａから溝部最深部までの長さＬ２（溝部１３４ｃの深さ寸法）が、第二フレーム１５０の溝部１５３における中央基部１５８側の長辺１５１から溝部最深部までの長さＬ１（厚紙の短辺１５２の長さ寸法から溝部１５３の深さ寸法を減算した寸法）よりも大としており、「Ｌ２−Ｌ１」に相当する長さだけ変位可能としている。
【００５２】
第二フレーム１５０をこのように構成することにより、使用状態において花き類の茎の幅に対応して第二フレーム１５０の差込み範囲を最適に調節することができる。第二フレーム１５０は厚紙を二つ折りにしており、厚紙が元に戻ろうとする復元力により、容器本体１３１の溝部１３４ｃに圧接し、溝部１３４ｃが奥部に対し口元部が狭くなった形状と相俟ってその位置を維持する。最適位置に調節された第二フレーム１５０と第一フレーム５０との間に花き類の茎は輸送中も確実に保持される。また、第二フレーム１５０の突出部１５５,１５５におけるコの字状の開口部１５９側が、奥部（基部１５８側）に対し拡開した形状となって、相対向する突出部５５,５５と開口部１５９との嵌合をし易くしている。
【００５３】
図１８は鮮度保持容器１３０を出荷箱６０（外箱）に配置して使用した状態において、輸送時等に出荷箱６０が横倒しになった場合を示す。鮮度保持容器１３０が横倒し状態になったときに、第一フレーム５０の切欠凹部５４（或いは第二フレーム１５０の切欠凹部１５４）が袋１の中央部（腹部）に当接して、第一フレーム５０（或いは第二フレーム１５０）が壁となり蓋部３３の注水口３２方向への袋１の水の移動を阻止する。第一フレーム５０と第二フレーム１５０が相対向して設けられており、鮮度保持容器１３０がどちら側に横倒しになっても、フレーム５０或いは１５０が防止壁となって水の流出を防止できる。
【００５４】
なお、図１３〜図１８において、実施例２（図６,７,１０〜１２）と同一の機能を有する部分には同一の符号を付して説明を省略する。
【００５５】
このように、第二フレーム１５０を形成するにより、向かい合う第一フレーム５０の突出部５５が、第二フレーム１５０の突出部１５５におけるコの字状の開口部１５９内に嵌合し、第一フレーム５０の突出部５５と第二フレーム１５０の上下の突出部１５５,１５５との間に袋１を挟み、袋の開口部分を狭め、水が中央寄りに集められ、少ない水で有効な水深を保つことができる。また、突出部５５が第二フレーム１５０のコの字状に開口部１５９内に嵌合するため、第一フレーム５０と第二フレーム１５０との結合がより強くなり、支持脚部３４,３４の補強効果も高められる。
【００５６】
このように、本発明の袋１は内部に水を収容して花き類の鮮度を保持する用途に好適であるとともに、種々組合せて輸送用保持容器などにも好適に利用できる。
【図面の簡単な説明】
【００５７】
【図１】本発明の鮮度保持容器用水収容袋の平面図。
【図２】図１のＡ−Ａ断面図。
【図３】鮮度保持容器用水収容袋の製造方法を示す説明図。
【図４】鮮度保持容器用水収容袋に水を収容した状態を示す斜視図。
【図５】鮮度保持容器用水収容袋の変形例を示す断面図。
【図６】鮮度保持容器用水収容袋を用いた鮮度保持容器の一実施例を示す斜視図。
【図７】図６の鮮度保持容器の展開図。
【図８】図６の鮮度保持容器の平面図。
【図９】図６の鮮度保持容器の使用例の一例を示す側面断面図。
【図１０】図６のＢ−Ｂ断面図。
【図１１】図１０のＣ−Ｃ断面図。
【図１２】図６の鮮度保持容器を配置した出荷箱の横倒し状態を示す側面断面図。
【図１３】鮮度保持容器の他の実施例を示す斜視図。
【図１４】図１３の鮮度保持容器の展開図。
【図１５】図１３のＤ−Ｄ断面図。
【図１６】図１５のＥ−Ｅ断面図。
【図１７】図１３の鮮度保持容器の第二フレームの変位位置を示す説明図。
【図１８】図１３の鮮度保持容器を配置した出荷箱の横倒し状態を示す側面断面図。
【符号の説明】
【００５８】
１,２０    鮮度保持用袋
２,２２,２３    谷折り部
３    袋綴じ部
４    シート天部
５    シート底部
７    ミシン目線（第一ミシン目線）
８    ミシン目線（第二ミシン目線）
９    注水口
１０  ミシン目線（第三ミシン目線）
３１,１３１  容器本体
３２  蓋部側注水口
３３  蓋部
３４  支持脚部
３４ｂ  溝部（支持脚部側切欠部）
３５  折り目線
４１  接着面
５０,５０  フレーム（第一連結部材、第二連結部材）
５３  溝部（切欠部；第一切欠部）
６０  出荷箱
１３４ｃ  溝部（支持脚部側切欠部；第二連結部材用支持脚部側切欠部）
１３４ｅ  奥部
１３４ｆ  口元部
１５０  第二フレーム（第二連結部材）
１５３  溝部（切欠部；第二切欠部）
１５５  突出部
１５９  開口部（コの字部）
【要約】
【課題】リサイクルが容易にでき、嵩張らず保管、輸送が効率化できるとともに、輸送中も安定して花き類を保持し、横倒し時も水が流出しにくい鮮度保持用袋及びそれを用いた鮮度保持容器を提供することを課題とする。
【解決手段】鮮度保持用袋１は、筒状の非透水性シートの相対向する筒面が相互に近づくようにその筒面を折込み形成された谷折り部２と、谷折りされた形態で筒状の非透水性シートの両端部を綴じるように形成された袋綴じ部３,３とを有している。谷折り部２と袋綴じ部３,３が形成されることにより、谷折り部２を間にしてシート天部４とシート底部５とが積層状態で形成される。シート天部４に形成された注水口９から水が収容されたときに谷折り部２が開き収容空間が形成されるとともに、シート底部５が水収容底部となり、袋綴じ部３,３が水収容底部に位置しない。
【選択図】図２
【図１】
0003640662.tif 000002
【図２】
0003640662.tif 000003
【図３】
0003640662.tif 000004
【図４】
0003640662.tif 000005
【図５】
0003640662.tif 000006
【図６】
0003640662.tif 000007
【図７】
0003640662.tif 000008
【図８】
0003640662.tif 000009
【図９】
0003640662.tif 000010
【図１０】
0003640662.tif 000011
【図１１】
0003640662.tif 000012
【図１２】
0003640662.tif 000013
【図１３】
0003640662.tif 000014
【図１４】
0003640662.tif 000015
【図１５】
0003640662.tif 000016
【図１６】
0003640662.tif 000017
【図１７】
0003640662.tif 000018
【図１８】
0003640662.tif 000019